(57)【要約】【課題】  延び方向全長を一定とする条件の下にあっても、土木構築物用壁面材の保持性能を高めることができる壁面材用アンカーを提供する。【解決手段】  当該アンカー５は、一端部が自然石４を取付けるための取付け端部とされる線材７に、ストッパパネル１３が移動可能に保持され、該線材７の他端部に、ストッパパネル１３の移動を規制する規制部１４が設けられている。その規制部１４は、線材７に対するプレス成形に基づき、線材７の他端に一体的に連なって該線材７の径よりも拡径される薄板状の拡径部１６をもって構成されていて、それに基づき、全長一定の下で、当該アンカー５の一端部と、ストッパパネル１３が移動規制を受ける位置との間の距離Ｌをできるだけ長くとれるようにし、裏込め材料３０から受ける抵抗をできるだけ大きくなるようにする。【選択図】        図８
2006097252.tif 000002
【特許請求の範囲】
【請求項１】
一端部が土木構築物用壁面材を取付けるための取付け端部とされる線材に、ストッパパネルが移動可能に保持され、該線材の他端部に、前記ストッパパネルが該線材の他端部外方に移動することを規制する規制部が設けられている壁面材用アンカーにおいて、
前記規制部が、前記線材に対するプレス成形に基づき、前記線材の他端に一体的に連なって該線材の径よりも拡径される薄板状の拡径部をもって構成されている、
ことを特徴とする壁面材用アンカー。
【請求項２】
請求項１において、
前記規制部が、前記拡径部と、該拡径部と前記ストッパパネルとの間に介在されるようにして前記線材に保持される一定厚の板材と、を備え、
前記板材が、前記拡径部の径方向において該拡径部よりも拡径されていると共に、該拡径部を収容するための収容凹所を有している、
ことを特徴とする壁面材用アンカー。
【請求項３】
請求項２において、
前記拡径部に、前記板材に臨む側において、前記線材の一端側に向かうに従って縮径された縮径部分が形成され、
前記収容凹所が、前記縮径部分に対応して、前記板材の板面のうち、前記線材の他端側に臨む面側から該線材の一端側に臨む面側に向うに従って縮径されている、
ことを特徴とする壁面材用アンカー。
【請求項４】
請求項３において、
前記縮径部分が、該縮径部分と前記収容凹所とが嵌合されている状態において、前記板材の板面のうち、前記線材の一端側に臨む面からはみでている、
ことを特徴とする壁面材用アンカー。
【請求項５】
請求項１において、
前記規制部が、前記拡径部と、該拡径部と前記ストッパパネルとの間に介在されるようにして前記線材に保持される一定厚の板材と、を備え、
前記板材が、前記拡径部の径方向において該拡径部よりも拡径されていると共に、該拡径部を収容するための収容凹所を有し、
前記ストッパパネルに、該ストッパパネルのパネル面のうち、前記線材の他端側に臨む面において、前記板材を収容するための収容凹所が形成されている、
ことを特徴とする壁面材用アンカー。
【請求項６】
請求項１において、
前記ストッパパネルに、該ストッパパネルのパネル面のうち、前記線材の他端側に臨む面において、前記拡径部を収容するための収容凹所が形成されている、
ことを特徴とする壁面材用アンカー。
【発明の詳細な説明】
【技術分野】
【０００１】
本発明は、土木構築物用壁面材の保持のために用いられる壁面材用アンカーに関する。
【背景技術】
【０００２】
護岸には、特許文献１に示すように、傾斜した基礎壁面上に裏込め材料層（砕石又は栗石層）を寄せ掛けて設け、その裏込め材料層の表面に複数の土木構築物用壁面材（ポット）を壁面材用アンカーを用いて取付け、その複数の土木構築物用壁面材により裏込め材料層を覆ってその土木構築物用壁面材により護岸表面を構成したものが提案されている。
【０００３】
具体的には、上記壁面材用アンカーは、一端部が土木構築物用壁面材を取付けるための取付け端部とされる線材に、ストッパパネルが移動可能に保持され、該線材の他端部に、前記ストッパパネルを該線材の他端部外方に移動することを規制する規制部が設けられている。このため、このような壁面材用アンカー部材を、その一端部に土木構築物用壁面材を取付けた状態で、裏込め材料層中に埋設すれば、ストッパパネルと裏込め材料層を構成する裏込め材料（例えば砕石、割栗石等）とが係合し、壁面材用アンカーの移動が規制されることになる。これにより、土木構築物用壁面材の脱落が防止され、土木構築物用壁面材は、護岸壁としての表面層を的確に構成することになる。
【特許文献１】特開２００１−７３３９３号公報
【発明の開示】
【発明が解決しようとする課題】
【０００４】
しかし、上記壁面材用アンカーにおいては、前記規制部として、線材の他端部を丸めてリング状部を形成しており、アンカー部材の延び方向全長を一定とする場合、一定径を確保するために丸められるリング状部の存在が、直線部分（ストッパパネルが規制部により規制を受ける位置と土木構築物用壁面材との間）の割合を少なくし（直線部分の長さを縮めること）、ストッパパネルと土木構築物用壁面材との間に存在させることができる裏込め材料量（移動抵抗）を少なくしている。このため、壁面材用アンカーの延び方向全長を一定（基準）とする条件の下で、その壁面材用アンカーによる土木構築物用壁面材の保持性能を一層、高めようとしても、規制部としてのリング状部が比較的大きくならざるを得ないこと（占める割合が大きいこと）から、制約を受けることになっている。
【０００５】
本発明は以上のような事情を勘案してなされたもので、その技術的課題は、延び方向全長を一定とする条件の下にあっても、土木構築物用壁面材の保持性能を高めることができる壁面材用アンカーを提供することにある。
【課題を解決するための手段】
【０００６】
上記技術的課題を達成するために本発明（請求項１の発明）にあっては、
一端部が土木構築物用壁面材を取付けるための取付け端部とされる線材に、ストッパパネルが移動可能に保持され、該線材の他端部に、前記ストッパパネルが該線材の他端部外方に移動することを規制する規制部が設けられている壁面材用アンカーにおいて、
前記規制部が、前記線材に対するプレス成形に基づき、前記線材の他端に一体的に連なって該線材の径よりも拡径される薄板状の拡径部をもって構成されている構成としてある。この請求項１の発明の好ましい態様としては、請求項２以下の記載の通りとなる。
【発明の効果】
【０００７】
請求項１に記載された発明によれば、規制部が、線材に対するプレス成形に基づき、線材の他端に一体的に連なって該線材の径よりも拡径される薄板状の拡径部をもって構成されていることから、プレス成形に基づき、線材に対する拡径部の一体化強度を十分に確保しつつ、当該壁面材用アンカーの延び方向において占める薄板状拡径部の割合を少なくして、ストッパパネルが線材の一端部（土木構築物用壁面材）から離間できる距離を増大させ、その間に存在させることができる裏込め材料量（抵抗）を増加させることができることになる。このため、壁面材用アンカーは、ストッパパネルを介して裏込め材料に基づく大きな抵抗力を受けることになり、全長を一定とする条件の下で、土木構築物用壁面材の保持性能（アンカー性能）を高めることができる壁面材用アンカーを提供できることになる。
また、線材に対するプレス成形に基づき拡径部が形成されることから、線材の引っ張り強度を高めるために該線材の径を増大させるような場合においても、線材の端部を曲げ加工するような場合に比して、簡単且つ迅速に形成できることになる。
【０００８】
請求項２に記載された発明によれば、規制部が、拡径部と、該拡径部とストッパパネルとの間に介在されるようにして線材に保持される一定厚の板材と、を備え、その板材が、拡径部の径方向において該拡径部よりも拡径されているていることから、ストッパパネルに対して当接する規制部の面積が拡径部だけの場合よりも拡大することになり、ストッパパネルが線材の他端部外方に抜け出ることを確実に防止できることになる。
しかも、板材が、拡径部を収容するための収容凹所を有していることから、当該壁面材用アンカーの使用時において、板材の収容凹所内に拡径部を収容でき、規制部としての厚みを、板材と拡径部とをそのまま重ね合わせる場合に比して薄くすることができることになり、一端部（土木構築物用壁面材）からストッパパネル規制位置までの間の長さが縮減されることを抑制して、土木構築物用壁面材の保持性能（アンカー性能）を高い状態に維持できることになる。
【０００９】
請求項３に記載された発明によれば、拡径部に、板材に臨む側において、線材の一端側に向かうに従って縮径された縮径部分が形成され、収容凹所が、縮径部分に対応して、板材の板面のうち、線材の他端側に臨む面側から該線材の一端側に臨む面側に向うに従って縮径されていることから、当該壁面材用アンカーの使用時において、板材の収容凹所に拡径部が、該収容凹所の内面に該拡径部の縮径部が案内されつつ収容され、板材と拡径部とは、規制部として、がたつくことなく的確に一体化（局部応力を作用させないように一体化）して、ストッパパネルが抜け出ることを確実に規制できることになる。
【００１０】
請求項４に記載された発明によれば、縮径部分が、該縮径部分と収容凹所とが嵌合されている状態において、板材の板面のうち、線材の一端側に臨む面からはみでていることから、当該壁面材用アンカーの使用時において、縮径部分のはみだし部分をストッパパネルの線材挿通孔に押し込んで、ストッパパネルと規制部（板材）とを、その両面同士が的確に当接できるようにすることができることになり、規制部を、ストッパパネルの抜け止め手段として的確に機能させることができることになる。
また、縮径部分のはみだし部分をストッパパネルの線材挿通孔に押し込むことにより、ストッパパネルを拡径部（縮径部）に仮保持できることになり、作業性を向上させることができることになる。
【００１１】
請求項５に記載された発明によれば、規制部が、拡径部と、該拡径部と前記ストッパパネルとの間に介在されるようにして線材に保持される一定厚の板材とを備え、その板材が、拡径部の径方向において該拡径部よりも拡径されていると共に、該拡径部を収容するための収容凹所を有し、ストッパパネルに、該ストッパパネルのパネル面のうち、前記線材の他端側に臨む面において、板材を収容するための収容凹所が形成されていることから、当該壁面材用アンカーの使用時において、板材の収容凹所に拡径部を収容できると共に、その板材をストッパパネルの収容凹所内に収容できることになり、規制部及びストッパパネルの厚みを、板材、拡径部及びストッパパネルをそのまま重ね合わせる場合に比して薄くすることができることになり、一端部（土木構築物用壁面材）からストッパパネル規制位置までの間の長さが縮減されることを抑制して、土木構築物用壁面材の保持性能を高い状態に維持できることになる。
【００１２】
請求項６に記載された発明によれば、ストッパパネルに、該ストッパパネルのパネル面のうち、線材の他端側に臨む面において、拡径部を収容するための収容凹所が形成されていることから、当該壁面材用アンカーの使用時において、拡径部をストッパパネルの収容凹所内に収容できることになり、拡径部（規制部）及びストッパパネルの厚みを、拡径部とストッパパネルとをそのまま重ね合わせる場合に比して薄くすることができることになり、一端部（土木構築物用壁面材）からストッパパネル規制位置までの間の長さが縮減されることを抑制して、土木構築物用壁面材の保持性能（アンカー性能）を高い状態に維持できることになる。
【発明を実施するための最良の形態】
【００１３】
以下、本発明の実施形態について図面に基づいて説明する。
図１〜図１１に示す第１実施形態においては、海Ｓに臨む土木構築物としての海岸護岸３が示されており、この海岸護岸３は、図１に示すように、裏込め材料（砕石、割栗石等）３０が互いに噛み合って層をなす裏込め材料層３１の前面側において、複数の土木構築物用構築材１が基礎ブロック２上に順次、積み上げられることになっている。
【００１４】
前記各土木構築物用構築材１は、図１、図２に示すように、土木構築物用壁面材しての自然石４と、該自然石４に取付けられた状態で前記裏込め材料層３１に埋設されて該自然石４の脱落を防止する壁面材用アンカー（以下、アンカーと称す）５とを備えている。
【００１５】
前記自然石４には、図１、図２に示すように、５００ｍｍ〜７００ｍｍ前後（好ましくは６００ｍｍ前後）の割石等（図１においては簡略化して図示）が用いられており、その自然石４の後部（図１、図２中、右部）には、アンカー５を取付るための取付け孔６が形成されている（図５参照）。
【００１６】
前記アンカー５は、図２に示すように、基本的には線材７からなり、その線材７の一端部（図２中、左端部）が自然石４に対する取付け端部８とされ、その他端部（図２中、右端部）には、該アンカー５を前記裏込め材料層３１に保持するためのストッパ機構部９が設けられている。線材７は、施工現場の状況、条件により適宜、選択されることになっており、本実施形態においては、線材７として、亜鉛アルミ合金メッキが施された鉄線（１０％程度のアルミ含有）又はステンレス鉄線が用いられ、その径は５〜１０ｍｍ（好ましくは８．０ｍｍ）前後、全長（軸心方向長さ）は５００ｍｍ〜１５００ｍｍ前後とされている。
【００１７】
前記取付け端部８には、図３、図４に示すように、複数の溝１０が形成されていると共に、マーキング線１１が付されている。複数の溝１０は、線材７における一端部外周の側部おいて形成され、その各溝１０は、５ｍｍ前後の幅とされ、その各溝１０は、もっとも端の溝１０がアンカー５の一端から７ｍｍ前後の位置に位置され、それに続いて、他の溝１０が５ｍｍ前後の間隔をあけてアンカー５の他端側に向けて順次、位置されている。マーキング線１１は、最内方位置の溝１０よりも内方側の所定位置（アンカー５の一端から６０ｍｍ前後の位置）において、浅い線状の刻印をもって線材７全周に形成されている。この取付け端部８は、接着剤１２と共に、マーキング線１１位置になるまで前記取付け孔６内に挿入されて、自然石４と線材７の一端部とが一体化されており、その際、各溝１０は、接着剤１２との接着面積、係合面積の増大を図ることになっている。
【００１８】
前記ストッパ機構部９は、図１〜図４、図６〜図１０に示すように、ストッパパネル１３と、そのストッパパネル１３を線材７の他端部外方に抜けないように規制する規制部１４とにより構成されている。
【００１９】
前記ストッパパネル１３は、一辺が１００〜５００ｍｍ（好ましくは３００ｍｍ）前後とされた正方形状の板材（厚み８〜１２ｍｍ前後）からなっており、その厚みは、板面の中心部１３ａに向うほど厚くなって、その中心部１３ａの強度が高められている（本実施形態においては、中心部１３ａは、一辺が４０ｍｍ前後の正方形とされている）。このストッパパネル１３としては、鉄板、プラスチック板、コンクリート版等が適宜用いられるが、その材質の選定においては、前述の大きさ、容易には変形しない強度等の観点が考慮される。このストッパパネル１３の中心部１３ａには挿通孔１５（好ましくは１１ｍｍ前後）が形成されており、その挿通孔１５に線材７を挿通させることによってストッパパネル１３が線材７に保持されている。このため、ストッパパネル１３の一方の面１３ｂは、自然石４側を向き、ストッパパネル１３の他方の面１３ｃは、規制部１４側を向くことになっている。
【００２０】
前記規制部１４は、図３、図４、図８に示すように、本実施形態においては、前記ストッパパネル１３の挿通孔１５の径及び前記線材７の径よりも拡径された薄板状ないしはフランジ状の拡径部１６と、板材としての座金（丸座金）１７とを備えている。
【００２１】
前記拡径部１６は、プレス成形に基づき、線材７の他端部を一端側に向けて押しつぶすようにして成形されて、厚み（線材７の軸心方向の長さ）が比較的薄くなるように（薄板状に）形成されており、拡径部１６は、一定径の本体部１８と、その本体部１８から徐々に縮径しつつ線材７に連なる縮径部１９とを一体的に備えることになっている。上記拡径部１６を形成するためにプレス成形を用いるのは、所望形状の拡径部１６を線材７に一体的に簡単に形成できると共に、拡径部１６と線材７との一体化強度を高い状態で確保できるからであり、また、線材７の引っ張り強度を高めるために該線材７の径を増大させるような場合においても、線材７の端部を曲げ加工して規制部（例えばリング状に曲げ加工したもの）を形成する場合に比して、簡単且つ迅速に形成できることになるからである。
本実施形態においては、汎用のプレス成形機を用いて、拡径部１６は、本体部１８の径が１２ｍｍ前後、本体部１８の厚みが２ｍｍ前後、縮径部１９の厚みが２ｍｍ前後に形成されている。
【００２２】
前記座金１７は、海岸護岸３等のような大きな外力が作用する護岸を構築する場合に、拡径部１６と共に用いられることになっており、外力があまり大きく作用しない護岸（湖沼等に形成される護岸）に対しては、規制部１４の抜け止め機能として拡径部１６だけで十分であることから、規制部１４として拡径部１６のみが用いられることもある。拡径部１６、座金１７の２部品を用いて規制部１４を構成するのは、拡径部１６と座金１７とが一体化したような大きさのもの（一体化物）をプレス成形機を用いて成形するとした場合には、大きなプレス力を必要とし、汎用機ではなく、特別のプレス機が必要になるからである。
【００２３】
座金１７（丸座金１７）は、図３、図４、図７〜図１０に示すように、薄板状の円板（好ましくは直径３０ｍｍ前後、厚み３ｍｍ前後）をもって形成されている。この座金１７の中心部には挿通孔２０が形成され、その座金１７の挿通孔２０には、該座金１７をストッパパネル１３と規制部１４との間に位置するようにして前記線材７が挿通されている。この挿通孔２０は、その挿通孔２０内径が、線材７の軸心方向他端側に向うに従って拡径されており、これに伴い、その挿通孔２０の内周面は、線材７の他端側外方に向かうに従って挿通孔２０の内径が拡がるようにテーパ面２１を構成し、そのテーパ面２１に基づき、挿通孔２０内において収容凹所２２が形成されることになっている。このテーパ面２１と前記拡径部１６の縮径部１９とは、対応関係にあり、挿通孔２０内に拡径部１６の縮径部１９を嵌め込むと、挿通孔２０のテーパ面２１と拡径部１６における縮径部１９とが当接し、拡径部１６（本体部１８）の外側端面２３は、座金１７の外側端面１７ａから若干突出するか、又は座金１７の外側端面１７ａと略面一となる。このため、本実施形態においては、座金１７における外側端面１７ａに形成される開口径が１５ｍｍ前後、内側端面１７ｂに形成される開口径が１０．５ｍｍ前後とされ、その両開口間で、座金１７における挿通孔２０の内径は、次第に変化することになっている。
【００２４】
したがって、このようなアンカー５を用いれば、規制部１４が、拡径部１６と座金１７とが一体化して拡径され、その拡径された状態がストッパパネル１３の挿通孔１５よりも十分に大きくなることから、海岸護岸３のような大きな外力が作用するようなところで、自然石４を裏込め材料層３１に保持するためにアンカー５が用いられるとしても、ストッパパネル１３がアンカー５（線材７）の他端側から外方に抜け出ることを確実に防止できることになる。このため、海岸護岸３でアンカー５が用いれば、ストッパパネル１３と裏込め材料との係合が的確に確保され、自然石４を海岸護岸壁として確実に所定位置に保持できることになる。
【００２５】
また、拡径部１６が、薄板状に形成されて、線材７の他端面に連なるように位置されていることから、自然石４（マーキング線１１位置）と、規制部１４によりストッパパネル１３が規制を受ける位置との間の距離Ｌを、線材７の他端部を丸めてリング状に形成するもの等に比べて長くすることができることになり、ストッパパネル１３と自然石４との間に介在させることができる裏込め材料３０の量（抵抗）を増大させることができることになる（アンカー性能を高めること）。このため、本実施形態に係るアンカー５を用いることにより、アンカー５の全長が一定の下で、自然石４の脱落防止の確実性を高めることができることになり、当該海岸護岸３は、海岸護岸３壁として長期に亘って有効に機能することになる。
別の観点から述べれば、所定のアンカー性能を基準とするべく、ストッパパネル１３が規制を受ける位置と自然石４との間の距離Ｌを一定とする場合には、規制部１４が線材７の他端面に比較的薄肉とされた状態で連なっていることに基づき、アンカー５の全長を短くすることができることになる。このため、所定のアンカー性能を確保しつつ、アンカー５（線材７）の材料使用量を低減できることになる。
【００２６】
また、本実施形態においては、拡径部１６が座金１７の収容凹所２２内（挿通孔２０内）に収容されることから、拡径部１６の厚みがほとんど省かれることになり、規制部１４として、拡径部１６の他に座金１７をも用いて抜け止め機能を高める場合であっても、拡径部１６の厚み分に相当する分だけアンカー性能を高めることができることになる。このため、前記抜け止め機能を高めると共に、アンカー性能（裏込め材料層３１に対する自然石４の保持性能）を高めることができることになる。
特に本実施形態においては、座金１７の挿通孔２０が、座金１７の外側端面１７ａ側から内側端面１７ｂに向うに従って縮径され、挿通孔２０の内周面が座面としてのテーパ面２１を構成することから、座金１７の外側端面１７ａに、図１１に示すように収納凹所２２を段差状に形成して底部２３を存在させる構成とする場合に比して、その底部２３の厚み分だけ座金１７の厚みを薄くすることができることになり、一層、アンカー性能を高めることができることになる。尚、図１１において、比較を容易にするために、テーパ面２１、座金１７の内側端面１７ｂを仮想線で示す。
【００２７】
さらに、アンカー５の使用時において、図８に示すように、拡径部１６の縮径部１９が座金１７の一方の面から外方にはみだすことになり、そのはみだし部分がストッパパネル１３の挿通孔１５に押し込まれることになる。このため、縮径部１９の案内作用に基づき、ストッパパネル１３のパネル面と座金１７の内側端面１７ｂとを的確に当接させることができることになり、局部荷重が作用することを防止して、規制部１４を、ストッパパネル１３の抜け止め機能として的確に機能させることができることになる。
しかも、縮径部１９のはみだし部分がストッパパネル１３の挿通孔１５に押し込まれることから、ストッパパネル１３を縮径部１９に仮保持できることになり（ストッパパネル１３が線材７の一端側に移動しないようにすること）、このアンカー５を用いた土木構築物用構築材１の施工作業性を向上させることができることになる。
【００２８】
図１２は、第２実施形態、図１３は第３実施形態を示す。この各実施形態において、前記第１実施形態と同一構成要素については同一符号を付してその説明を省略する。
【００２９】
図１２に示す第２実施形態は、前記第１実施形態の変形例を示す。この第２実施形態においては、ストッパパネル１３の他方の面１３ｃに、前記座金１７を収容するための収容凹所１３ｄが形成されている。これにより、アンカー５を使用するときには、拡径部１６を収容する座金１７が収容凹所１３ｄに収容されることになり、自然石４（マーキング線１１位置）と、規制部１４により規制を受けるストッパパネル１３との間の距離Ｌを、一層、長くすることができることになる。このため、ストッパパネル１３と自然石４との間に介在させることができる裏込め材料３０量（抵抗）を、さらに増大させることができることになり、裏込め材料層３１に対する自然石４の保持性能（アンカー性能）を高めることができることになる。
この場合、座金１７の外径を、その外側端面１７ａ側から内側端面１７ｂに向けて縮径すると共に、それに対応させて、上記ストッパパネル１３における収容凹所１３ｄの内径を、他方の面１３ｃ側から一方の面１３ｂ側に向うに従って縮径することが好ましい。規制部１４の位置決め、ストッパ機構部９を薄板状にする観点等から、良好な結果が得られることになるからである。
【００３０】
図１３に示す第３実施形態も、前記第１実施形態の変形例を示す。この第３実施形態においては、ストッパパネル１３の他方の面１３ｃに、前記拡径部１６を収容するための収容凹所１３ｅが形成されている。これにより、アンカー５を使用するときには、ストッパパネル１３の収容凹所１３ｅ内に拡径部１６が収容されることになり、この場合にも、自然石４（マーキング線１１位置）と、規制部１４により規制を受けるストッパパネル１３との間の距離Ｌを、一層、長くして、ストッパパネル１３と自然石４との間に介在させることができる裏込め材料３０量（抵抗）を、さらに増大させ、裏込め材料３０層に対する自然石４の保持性能（アンカー性能）を高めることができることになる。
この場合、図１３に示すように、拡径部１６の外径を、その外側端面２３から内側に向けて縮径すると共に、それに対応させて、上記ストッパパネル１３における収容凹所１３ｅの内径を、他方の面１３ｃ側から一方の面１３ｂ側に向うに従って縮径することが好ましい。拡径部１６の位置決め、ストッパ機構部９を薄板状にする観点から好ましい結果が得られるからである。
【００３１】
以上実施形態について説明したが本発明においては、次のようなものを包含する。
（１）土木構築物用壁面材として、自然石４に換えて、擬石、コンクリートブロック等を用いること。
（２）土木構築物用壁面材を取付けるための取付け端部８としてのアンカー５の一端部が、直接、土木構築物用壁面材に取付ける他に、間接的に土木構築物用壁面材に取付ける態様を含んでいること。このため、例えば土木構築物用壁面材に連結具が取付けられている場合には、その連結具を介して土木構築物用壁面材にアンカー５の一端部が連結されること。勿論このとき、その連結具とアンカー５の一端部とは、周知の手段により、連結される構成とされる。
（３）板材として、座金１７に代えて、コンクリ−ト板、鉄板、プラスチック板等の種々のものを用いること。
（４）裏込め材料３０に、コンクリ−ト廃棄物等の廃棄物を用いること。
（５）土木構築物として、擁壁等を構築すること。
【００３２】
尚、本発明の目的は、明記されたものに限らず、実質的に好ましい或は利点として記載されたものに対応したものを提供することをも暗黙的に含むものである。
【図面の簡単な説明】
【００３３】
【図１】第１実施形態に係る海岸護岸を説明する説明図。
【図２】第１実施形態に係るアンカーを示す正面図。
【図３】第１実施形態に係るアンカーを平面的に説明する拡大説明図。
【図４】図３の正面図。
【図５】自然石に対するアンカーの取付け端部の取付けを説明する説明図。
【図６】ストッパパネルを線材の一端側から見た拡大図。
【図７】ストッパパネルを線材の他端側から見た拡大図。
【図８】第１実施形態に係るストッパ機構を説明する説明図。
【図９】第１実施形態に係る座金を示す側面図。
【図１０】第１実施形態に係る座金の外側端面を示す図。
【図１１】座金に形成される収容凹所の変形例を説明する説明図。
【図１２】第２実施形態に係るストッパ機構を説明する説明図。
【図１３】第３実施形態に係るストッパ機構を説明する説明図。
【符号の説明】
【００３４】
１  土木構築物用構築材
４  自然石（土木構築物用壁面材）
５  アンカー（壁面材用アンカー）
７  線材
８  取付け端部（線材の一端部）
１３  ストッパパネル
１３ｂ  ストッパパネルの一方の面
１３ｃ  ストッパパネルの他方の面
１３ｄ  収容凹所
１３ｅ  収容凹所
１６  拡径部
１７  座金（板材）
１９  縮径部（縮径部分）
２２  収容凹所
【図１】
2006097252.tif 000003
【図２】
2006097252.tif 000004
【図３】
2006097252.tif 000005
【図４】
2006097252.tif 000006
【図５】
2006097252.tif 000007
【図６】
2006097252.tif 000008
【図７】
2006097252.tif 000009
【図８】
2006097252.tif 000010
【図９】
2006097252.tif 000011
【図１０】
2006097252.tif 000012
【図１１】
2006097252.tif 000013
【図１２】
2006097252.tif 000014
【図１３】
2006097252.tif 000015